(57)【要約】      （修正有）【課題】消火栓装置又は消火器箱において、筐体を監査路上に設置することができると共に、トンネルの長さ方向における筐体の位置を容易に調整することができるようにする。【解決手段】消火用ホース２が収納されるホース収納部３を内蔵する筐体４を備え、その筐体４がトンネルＴの監査路Ｒ２上に設置される消火栓装置１−１において、筐体４を監査路Ｒ２上に支持する架台６であって、トンネルＴの長さ方向における筐体４の位置決め用の位置決め構造部６ａａが設けられて、その長さ方向における位置を変更可能に筐体４が取り付けられる架台６を更に備えることを特徴とする。【選択図】図１
2019126465.tif 000002
【特許請求の範囲】
【請求項１】
消火用ホースが収納されるホース収納部を内蔵する筐体を備え、その筐体がトンネルの監査路上に設置される消火栓装置において、
前記筐体を監査路上に支持する架台であって、トンネルの長さ方向における前記筐体の位置決め用の位置決め構造部が設けられて、その長さ方向における位置を変更可能に前記筐体が取り付けられる架台を更に備えることを特徴とする消火栓装置。
【請求項２】
消火器が格納される筐体を備え、その筐体がトンネルの監査路上に設置される消火器箱において、
前記筐体を監査路上に支持する架台であって、トンネルの長さ方向における前記筐体の位置決め用の位置決め構造部が設けられて、その長さ方向における位置を変更可能に前記筐体が取り付けられる架台を更に備えることを特徴とする消火器箱。
【請求項３】
前記筐体の位置決め構造部が穴であることを特徴とする請求項１に記載の消火栓装置又は請求項２に記載の消火器箱。
【請求項４】
前記筐体を下方から支持する支持部材を更に備えることを特徴とする請求項１若しくは３に記載の消火栓装置又は請求項２若しくは３に記載の消火器箱。
【請求項５】
前記筐体を移動させる車輪を更に備えることを特徴とする請求項１、３若しくは４に記載の消火栓装置又は請求項２、３若しくは４に記載の消火器箱。
【請求項６】
前記架台は、監査路上に固定される固定架台と、その固定架台にトンネルの長さ方向における位置が変更可能に取り付けられると共に、前記筐体が取り付けられる移動架台とを含み、前記筐体の位置決め構造部は、前記固定架台と前記移動架台とに設けられることを特徴とする請求項１、３、４若しくは５に記載の消火栓装置又は請求項２、３、４若しくは５に記載の消火器箱。
【請求項７】
前記架台は、監査路上に固定される固定架台として設けられ、前記筐体の位置決め構造部は、前記固定架台と前記筐体とに設けられることを特徴とする請求項１、３、４若しくは５に記載の消火栓装置又は請求項２、３、４若しくは５に記載の消火器箱。
【発明の詳細な説明】
【技術分野】
【０００１】
この発明は、トンネルに設置される消火栓装置及び消火器箱に関する。
【背景技術】
【０００２】
従来、トンネルに設置される消火栓装置は、消火用ホースが収納されるホース収納部を内蔵する筐体が、壁面に形成される箱抜き部分に設置されていた（例えば、特許文献１参照）。
【先行技術文献】
【特許文献】
【０００３】
【特許文献１】特開２０１５−４４０３９号公報
【発明の概要】
【発明が解決しようとする課題】
【０００４】
消火栓装置の筐体は、トンネルの長さ方向（車両の走行方向）に所定の間隔（標準的には５０ｍ）で設置される。筐体の設置後、その長さ方向の位置を調整して間隔を調整する必要が生じることがある。
【０００５】
しかしながら、筐体を箱抜き部分に設置する場合、設置位置が箱抜き部分に限定されるため、設置後に位置を調整することができない。
【０００６】
また、最近のトンネルは、シールド工法により施工されることが多い。シールド工法では、掘削と同時に壁面が鋼製のセグメントにより構築される。そのため、従来のように壁面に箱抜き部分を形成することができない。
【０００７】
壁面と車道との間の監査路上に筐体を設置することもできるが、その場合、監査路に埋設したアンカーボルト等の固定手段により筐体を固定することになるため、設置後でも位置を調整することはできるが、それをするのは容易ではない。
【０００８】
なお、トンネルには、初期消火用の消火器が格納される筐体を有する消火器箱が設置されることがある。その消火器箱の筐体を設置する場合にも、消火栓装置について前記で説明したのと同様の課題がある。
【０００９】
この発明は、上記の事情に鑑み、消火栓装置又は消火器箱において、筐体を監査路上に設置することができると共に、トンネルの長さ方向における筐体の位置を容易に調整することができるようにすることを目的とする。
【課題を解決するための手段】
【００１０】
この発明は、消火用ホースが収納されるホース収納部を内蔵する筐体を備え、その筐体がトンネルの監査路上に設置される消火栓装置において、前記筐体を監査路上に支持する架台であって、トンネルの長さ方向における前記筐体の位置決め用の位置決め構造部が設けられて、その長さ方向における位置を変更可能に前記筐体が取り付けられる架台を更に備えることを特徴とする消火栓装置である。
【００１１】
また、この発明は、消火器が格納される筐体を備え、その筐体がトンネルの監査路上に設置される消火器箱において、前記筐体を監査路上に支持する架台であって、トンネルの長さ方向における前記筐体の位置決め用の位置決め構造部が設けられて、その長さ方向における位置を変更可能に前記筐体が取り付けられる架台を更に備えることを特徴とする消火器箱である。
【００１２】
また、この発明は、前記筐体の位置決め構造部は穴であることを特徴とする消火栓装置又は消火器箱である。
【００１３】
また、この発明は、前記筐体を下方から支持する支持部材を更に備えることを特徴とする消火栓装置又は消火器箱である。
【００１４】
また、この発明は、前記筐体を移動させる車輪を更に備えることを特徴とする消火栓装置又は消火器箱である。
【００１５】
また、この発明は、前記架台は、監査路上に固定される固定架台と、その固定架台にトンネルの長さ方向における位置が変更可能に取り付けられると共に、前記筐体が取り付けられる移動架台とを含み、前記筐体の位置決め構造部は、前記固定架台と前記移動架台とに設けられることを特徴とする消火栓装置又は消火器箱である。
【００１６】
また、この発明は、前記架台は、監査路上に固定される固定架台として設けられ、前記筐体の位置決め構造部は、前記固定架台と前記筐体とに設けられることを特徴とする消火栓装置又は消火器箱である。
【発明の効果】
【００１７】
この発明によれば、消火栓装置又は消火器箱において、筐体を監査路上に支持する架台にトンネルの長さ方向における筐体の位置決め用の位置決め構造部が設けられていることにより、監査路上に設置される筐体のトンネルの長さ方向における設置位置を変更することができる。
【００１８】
したがって、この発明によれば、消火栓装置又は消火器箱において、筐体を監査路上に設置することができると共に、トンネルの長さ方向における筐体の位置を容易に調整することができる。
【００１９】
また、この発明によれば、筐体を下方から支持する支持部材を更に備えることにより、筐体の架台に対する高さ方向の位置合わせをすることができ、筐体の位置を更に容易に調整することができる。
【００２０】
また、この発明によれば、筐体を移動させる車輪を更に備えることにより、筐体を容易に移動させることができ、筐体の位置を更に容易に調整することができる。
【図面の簡単な説明】
【００２１】
【図１】この発明の実施形態の消火栓装置の一例（第１の実施形態）を示したものであり、その消火栓装置がトンネルの監査路上に設置されている状態の正面図である（前扉が開いている状態を示している。）。
【図２】同上の側面図である（前扉閉じている状態を示している。）。
【図３】図２の要部拡大図である。
【図４】同上の例の消火栓装置を示したものであり、（ａ）が筐体に移動架台と設置サポートが取り付けられている状態の正面図であり（前扉が開いている状態を示している。）、（ｂ）が固定架台単体の正面図である。
【図５】同上の消火栓装置の他の例（第２の実施形態）を示したものであり、（ａ）が図４（ａ）に相当する図であり、（ｂ）が図４（ｂ）に相当する図である。
【図６】同上の例における図３に相当する図である。
【発明を実施するための形態】
【００２２】
この発明の実施形態について、消火栓装置に適用する場合を例とすると共に、トンネルの長さ方向における筐体の位置決め構造部を穴とする場合を例として、図面を参照しつつ説明する。なお、この発明は、消火栓装置だけでなく、筐体内に消火器が格納されてトンネルに設置される消火器箱にも適用することができるものであり、以下に説明する消火栓装置に適用する場合の例における筐体に対する設置構造を消火器箱の筐体に対する設置構造として適用することができる。
【００２３】
［第１の実施形態］
この発明の第１の実施形態に係る消火栓装置１−１について、図１乃至図４を参照しつつ説明する。
【００２４】
まず、消火栓装置１−１の基本構成について、簡単に説明する。
【００２５】
［基本構成］
消火栓装置１−１は、消火用ホース２が収納されるホース収納部３等を内蔵する筐体４を備えている。筐体４は、消火用ホース２の引き出し等をするための開口４ａと、その開口４ａを開閉する前扉４ｂとが設けられた前面パネル４ｃを有している。なお、前扉４ｂは、前傾して開くものとしており、その裏面には、消火用ホース２の先端に設けられる消火用ノズル２ａや消火栓弁操作用の操作レバー５等が設けられている（図１及び図２参照）。
【００２６】
そして、消火栓装置１−１は、シールド工法により施工されるトンネルＴに設置することのできるものであり、その筐体４を鋼製のセグメントＳＧにより構築される壁面Ｗと車道Ｒ１との間に設けられる監査路Ｒ２上に設置することのできるものである（同前参照）。なお、消火栓装置１−１としては、消火栓弁を含む配管部分の一部を別ユニットとして筐体４から分離して、筐体４を薄型で軽量のものとしてもよい。その場合、分離した配管ユニットは、例えば、トンネルＴにおける車道Ｒ１下の床版下や監視員通路Ｒ２下の空間に設けることができる。
【００２７】
次に、消火栓装置１−１の筐体４を監査路Ｒ２上に設置するための架台等について、詳細に説明する。
【００２８】
［架台］
消火栓装置１−１は、筐体４を監査路Ｒ２上に支持する架台６を備えている。この架台６には、トンネルＴの長さ方向における筐体４の位置決め用の穴６ａａ、６ｂａ（詳細は後記で説明する。）が設けられており、その長さ方向における位置を変更可能に筐体４が取り付けられる（図１乃至図４参照）。
【００２９】
そして、消火栓装置１−１は、架台６を備えていることにより、監査路Ｒ２上に設置される筐体４のトンネルＴの長さ方向における設置位置を変更することができ、監査路Ｒ２上の筐体４を設置することができると共に、そのトンネルＴの長さ方向における設置位置を容易に調整することができる。
【００３０】
本実施形態における架台６について、更に詳細に説明する。
【００３１】
架台６は、本実施形態の場合、監査路Ｒ２上に固定される固定架台６ａと、筐体４の底部４ｄに取り付けられると共に、固定架台６ａにトンネルＴの長さ方向における位置が変更可能に取り付けられる移動架台６ｂとを有する（図１乃至図４参照）。
【００３２】
固定架台６ａは、平板状の底部６ａｂと、その両側部に立設されるように曲折されて設けられる一対の平板状の側部６ａｃとからなり、断面コ字状の形状を有する。そして、長手方向の長さが筐体４の幅を超える長さを有し、その長手方向がトンネルＴの長さ方向に沿う向きで底部６ａｂがボルト７により固定される（図２及び図３参照）。なお、図示は省略するが、消火栓弁を含む配管部分の一部を別ユニットとして筐体４から分離し、その配管ユニットを車道Ｒ１下の床版下や監視員通路Ｒ２下の空間に設ける場合、固定架台６ａの底部６ａｂに配管接続用の長穴を設け、配管ユニットと筐体内の配管とをフレキシブル管やホース等で接続するようにしてもよい。そのようにすることで、消火栓装置の位置を変更した際に、配管の修正を不要または容易にすることができる。
【００３３】
移動架台６ｂは、筐体４の底部４ｄに間隔を置いて幅方向両端側に一対設けられる（図１及び図４参照）。いずれも、箱状の形状を有し、その上部６ｂｂが筐体４の底部４ｄにボルト８により固定される（図２及び図３参照）。なお、移動架台６ｂの底部６ｂｄには、省略は可能であるが、筐体４の移動用のキャスター１１（車輪の一例）が設けられている。そのキャスター１１については後記で詳細に説明する。
【００３４】
固定架台６ａと移動架台６ｂには、前記の筐体４の位置決め用の穴として、固定架台６ａの両側部６ａｃのそれぞれに、長手方向、すなわちトンネルＴの長さ方向に沿って間隔を置いて並ぶ複数の穴（ねじ切りなしの穴）６ａａが設けられると共に、移動架台６ｂの両側部６ｂｃのそれぞれに、１つのねじ穴６ｂａが設けられる（図４参照）。
【００３５】
そして、移動架台６ｂは、固定架台６ａに対して、トンネルＴの長さ方向に移動可能であると共に、固定架台６ａの複数の穴６ａａのいずれかに対して移動架台６ｂの１つのねじ穴６ｂａが対面する向きで固定架台６ａの内部に収納され、対面する穴同士に共通のボルト９が螺挿されて両者が固定されることにより取り付けられる（図１乃至図３参照）。
【００３６】
つまり、本実施形態において、筐体４は、移動架台６ｂを介し、固定架台６ａに対して、トンネルＴの長さ方向に移動させ、固定架台６ａ側の穴６ａａと移動架台６ｂ側のねじ穴６ｂａとの対面する穴同士の組み合わせを変更して、共通のボルト９により固定する穴同士の組み合わせを変更することにより、トンネルＴの長さ方向に位置変更可能に取り付けられるようになっている。
【００３７】
ここで、本実施形態の場合、架台６において、固定架台６ａの長手方向の長さを筐体４の幅方向の長さよりも長いものとしているが、その長さについては、逆に筐体４の幅方向の長さよりも短いものとしてもよい（図示省略）。また、固定架台６ａ側の穴６ａａと移動架台６ｂのねじ穴６ｂａを逆の組み合わせにしてもよいし、両者をいずれも、ねじ切りなしの穴とすると共に、両者の固定手段であるボルト９に代えて脱落防止を施したピンとしてもよい（図示省略）。また、固定架台６ａ側の複数の穴６ａａについては、複数の穴とするのに代えて、トンネルＴの長さ合方向に沿う長穴としてもよい（図示省略）。
【００３８】
さらに、移動架台６ｂは設けずに、その移動架台６ｂに設けていたねじ穴６ｂａに代わるねじ穴を筐体４に設け、固定架台６ａに筐体４を直接、取り付けるようにしてもよい。その具体例については、第２の実施形態として後記において詳細に説明する。
【００３９】
［設置サポート（支持部材の一例）］
さらに、消火栓装置１−１は、本実施形態の場合、筐体４を下方から支持する支持部材の一例として、筐体４の底部４ｄの下部に脚部を形成するように設けられる設置サポート１０を備えている（図１乃至図４参照）。
【００４０】
消火栓装置１−１は、この設置サポート１０を備えていることにより、筐体４の架台６に対する高さ方向の位置合わせをすることができ、筐体４のトンネルＴの長さ方向における設置位置を更に容易に調整することができる。具体的には、例えば、トンネルＴの長さ方向における筐体４の位置決め用の穴として、固定架台６ａに設けられる穴６ａａと移動架台６ｂに設けられるねじ穴６ｂａを有する本実施形態の場合、設置サポート１０により固定架台６ａ側の穴６ａａと移動架台６ｂ側のねじ穴６ｂａの高さ方向の位置を固定架台６ａ上に移動架台６ｂを筐体４と共に載せるだけで合うようにすることができ、高さ方向の位置を合せる作業を不要にすることができる。それにより、筐体４のトンネルＴの長さ方向における設置位置を更に容易に調整することができる。
【００４１】
なお、本実施形態において、設置サポート１０は、筐体４の底部４ｄ中央部に幅方向に間隔を置いて一対設けられており、いずれも箱状の形状を有するものとしているが、筐体４を下方から支持し、その高さ位置を決めることのできるものであれば、その数や形状は適宜変更してもよいし、固定架台６ａの側に設けてもよい。
【００４２】
［キャスター（車輪の一例）］
さらに、消火栓装置１−１は、本実施形態の場合、筐体４を移動させる車輪の一例として、一対の移動架台６ｂの底部６ｂｄのそれぞれに設けられるキャスター１１を備えている（図１乃至図４参照）。
【００４３】
消火栓装置１−１は、このキャスター１１を備えていることにより、筐体４を容易に移動させることができ、筐体４のトンネルＴの長さ方向における設置位置を更に容易に調整することができる。
【００４４】
なお、本実施形態において、キャスター１１のそれぞれは、筐体４の奥行き方向に離間して２輪ずつ設けられるものとしている（図２及び図３参照）。これにより、固定架台６ａの底部６ａｂを監査路Ｒ２上に固定するボルト７の頭部が突出していても、それがキャスター１１の転動の邪魔になるのを防ぐことができる。また、キャスター１１は、高さ調整可能なものとすることができる。そのようにすることにより、前記の設置サポート１０なしでも、筐体４の架台６に対する高さ方向の位置合せを可能にすることができる。すなわち、本実施形態の場合、キャスター１１の高さを調整可能にすることにより、固定架台６ａ側の穴６ａａと移動架台６ｂ側のねじ穴６ｂａの高さ方向の位置を固定架台６ａ上にキャスター１１が設けられる移動架台６ｂを筐体４と共に載せるだけで合うようにすることができる。なお、キャスター１１は、設置サポート１０にも設けてもよいし、設置サポート１０がない場合でも設けてもよい。
【００４５】
ここで、キャスター１１はそれぞれ、筐体４に直接、設けるようにしてもよいし、また、筐体４の奥行方向には１輪ずつ設けられるものとしてもよい。それらの具体例については、筐体４を固定架台６ａに直接、取り付ける場合と共に、第２の実施形態として後記において詳細に説明する。
【００４６】
［第２の実施形態］
この発明の第２の実施形態に係る消火栓装置１−２について、図５及び図６を参照しつつ説明する。
【００４７】
本実施形態に係る消火栓装置１−２は、架台６を固定架台６ａのみとして、移動架台６ｂは設けずに、移動架台６ｂに設けていたねじ穴６ｂａに代わるねじ穴４ｆを筐体４に設け、筐体４を固定架台６ａに直接、取り付けるようにしたものである。また、キャスター１１に代わるキャスター１２として、筐体４の底部４ｄに直接、幅方向両端側のそれぞれに１輪ずつ設けるようにしたものである。なお、本実施形態の場合、さらに固定架台６ａを監査路Ｒ２上に固定する固定手段であるボルト７に代えて皿ねじ１３を用いるものとしている。その他の構成は、前記の実施形態におけるものと同様である。
【００４８】
すなわち、消火栓装置１−２において、筐体４には、前記の移動架台６ｂに設けられているねじ穴６ｂａに代わるものとして、前面パネル４ｃと背面板４ｅのそれぞれに筐体４の幅方向両端側に１つずつ、ねじ穴４ｆが設けられる（図５及び図６参照）。固定架台６ａには、前記と同様、両側部６ａｃのそれぞれに、長手方向、すなわちトンネルＴの長さ方向に沿って間隔を置いて並ぶ複数の穴６ａａが設けられる（同前参照。但し、図示の便宜上、両側部６ａｃの高さ方向の寸法を第１の実施形態におけるものよりも短いものとしている。）。
【００４９】
そして、筐体４は、固定架台６ａに対して、トンネルＴの長さ方向に移動可能であると共に、固定架台６ａの複数の穴６ａａのいずれかに対して幅方向両端側の１ずつのねじ穴４ｆが対面する向きで固定架台６ａの内部に収納され、対面する穴同士に共通のボルト９が螺挿されて両者が固定されることにより取り付けられる（図６参照）。
【００５０】
これにより、本実施形態においても、監査路Ｒ２上に設置される筐体４のトンネルＴの長さ方向における設置位置を変更することができ、監査路Ｒ２上の筐体４を設置することができると共に、そのトンネルＴの長さ方向における設置位置を容易に調整することができる。
【００５１】
また、本実施形態においては、前記のキャスター１１に代わるものとして、キャスター１２が筐体４の底部４ｄに直接、幅方向両端側のそれぞれに位置して１輪ずつ設けられる（図５及び図６参照）。
【００５２】
これにより、本実施形態においても、筐体４を容易に移動させることができ、筐体４のトンネルＴの長さ方向における設置位置を更に容易に調整することができる。
【００５３】
さらに、本実施形態においては、固定架台６ａの底部６ａｂを監査路Ｒ２上に固定する固定手段であるボルト７に代えて皿ねじ１３が用いられる（図６参照）。
【００５４】
これにより、本実施形態においては、前記のボルト７と異なり、皿ねじ１３の頭部が固定架台６ａ上に突出しないようにすることができ、キャスター１２を筐体４の底部４ｄに幅方向両端側のそれぞれに位置して１輪ずつ設けられるものとしていても、皿ねじ１３の頭部がキャスター１２の転動の邪魔になるのを防ぐことができる（同前参照）。
【００５５】
以上、この発明の実施形態ついて説明したが、この発明は上記の実施形態に限られるものではない。
【００５６】
例えば、架台６（例えば固定架台６ａ側）には、目盛りを付しておいてもよい。そのようにすることで、移動幅を目盛りにより確認することができ、移動作業を容易に正確にすることができる。
【００５７】
また、トンネルＴの長さ方向における筐体４の位置決め構造部としては、穴６ａａやねじ穴６ｂａ等の穴とするのに代えて、溝と突起等による嵌合構造部としてもよい。そのようにすることで、筐体４を走行移動させるキャスター１１等の車輪を使用することはできなくなるが、筐体４を持ち上げて移動させれば、トンネルＴの長さ方向における筐体４の位置の変更は可能であり、溝と突起等による嵌合構造部を嵌合させることにより所望の位置に位置決めが可能である。
【符号の説明】
【００５８】
１−１：消火栓装置（第１の実施形態）
１−２：消火栓装置（第２の実施形態）
２：消火用ホース  ２ａ：消火用ノズル  ３：ホース収納部  ４：筐体
４ａ：開口  ４ｂ：前扉  ４ｃ：前面パネル  ４ｄ：底部  ４ｅ：背面板
４ｆ：ねじ穴  ５：操作レバー  ６：架台  ６ａ：固定架台  ６ａａ：穴
６ａｂ：底部  ６ａｃ：側部  ６ｂ：移動架台  ６ｂａ：ねじ穴  
６ｂｃ：側部  ６ｂｄ：底部  ７：ボルト  ８：ボルト  ９：ボルト  
１０：設置サポート  １１：キャスター  １２：キャスター  １３：皿ねじ
Ｔ：トンネル  Ｗ：壁面  ＳＧ：セグメント  Ｒ１：車道  Ｒ２：監査路
【図１】
2019126465.tif 000003
【図２】
2019126465.tif 000004
【図３】
2019126465.tif 000005
【図４】
2019126465.tif 000006
【図５】
2019126465.tif 000007
【図６】
2019126465.tif 000008